(57)【要約】      （修正有）【課題】自動車車体の外側表面に結合され、柔らかい装飾光源を生じさせる自動車外部用発光装飾部材を提供する。【解決手段】自動車外部用発光装飾部材において、装飾部材１と、装飾部材に結合されるスリット状透光ケース２と、スリット状透光ケース内に埋設され、かつ可撓性を有する透光部材３と、および透光部材の一端または両端に設置される１つまたは複数の発光モジュールと、を含み、発光モジュール、生じる光源を透光部材に照射して、透光部材を発光させ、更に、スリット状透光ケースを通じてスリット状、かつ柔らかい装飾性光源を生じることができる。【選択図】図２
0003187067.tif 000002
【実用新案登録請求の範囲】
【請求項１】
自動車外部用発光装飾部材において、
装飾部材と、
該装飾部材に結合され、かつ該装飾部材の外部に露出されているスリット状透光ケースと、
該スリット状透光ケース内に埋設され、かつ可撓性を有する透光部材と、
該透光部材の一端に設けられ、生じる光源を該透光部材の一端に照射して、該透光部材を発光させ、かつ該スリット状透光ケースを通じてスリット状の装飾性光源を生じる発光モジュールと、を含むことを特徴とする自動車外部用発光装飾部材。
【請求項２】
該装飾部材には、前記スリット状透光ケースを取付けて結合させるためのスリット状結合溝が設けられている、ことを特徴とする請求項１に記載の自動車外部用発光装飾部材。
【請求項３】
該スリット状透光ケースは該装飾部材に結合される延伸部を有する、ことを特徴とする請求項１に記載の自動車外部用発光装飾部材。
【請求項４】
該延伸部と該装飾部材は少なくとも１つの粘着シートを通じて粘着されている、ことを特徴とする請求項３に記載の自動車外部用発光装飾部材。
【請求項５】
該スリット状透光ケースはその内部に該透光部材を嵌合するためのスリット状嵌合溝を有する、ことを特徴とする請求項１に記載の自動車外部用発光装飾部材。
【請求項６】
スリット状透光ケースの表面には光拡散経路が設けられている、ことを特徴とする請求項１に記載の自動車外部用発光装飾部材。
【請求項７】
スリット状透光ケースには光反射シートが設けられている、ことを特徴とする請求項１に記載の自動車外部用発光装飾部材。
【請求項８】
該透光部材の両端にはそれぞれ発光モジュールが設けられ、生じる光源をそれぞれ該透光部材の一端に照射して該透光部材を発光させる、ことを特徴とする請求項１に記載の自動車外部用発光装飾部材。
【請求項９】
該透光部材の端部にはスリーブが結合され、かつ該発光モジュールが該スリーブ内に設けられている、ことを特徴とする請求項１または請求項８に記載の自動車外部用発光装飾部材。
【請求項１０】
該発光モジュールは発光ダイオードまたは電球である、ことを特徴とする請求項１に記載の自動車外部用発光装飾部材。
【考案の詳細な説明】
【技術分野】
【０００１】
本考案は、自動車外部用発光装飾部材に関し、自動車車体の外側表面に結合されるいろんな装飾部材に関し、特に、可撓性透光部材を光源伝達用媒体として使用することで、装飾性光源を生じる装飾部材に関する。
【背景技術】
【０００２】
自動車メーカーまたは自動車部品の製造業界では、自動車車体の外側表面を美しくさせるため、自動車車体の外側の前、後または側面の表面にいろんな装飾部材を設けるようにしている。例えば、車体側辺装飾板、車体側辺踏板装飾板、車体前後側装飾板などがある。
【０００３】
夜に自動車を運転するとき、安全性及び装飾効果を考慮して、自動車外部の装飾部材に発光性能を同時にもたせることで、自動車が発光装飾部材により周囲の車両と通行人に注意を与えて警告作用を果たすと同時に、車体を美しく飾る効果を有する。
【０００４】
既存の自動車外部の装飾部材は主に電球またはLEDを発光源とし、発光手段は単一の発光源により生じる点光源、複数の発光源が1列に配列して発光する線形光源を含む。
【０００５】
しかし、複数の発光源が組合って発光する線形光源において、実際には複数の光点の接続により形成されるランプチューブを視覚で感じることができ、生じる光源は鎖状に類似する線形光源で、かつ明度が不均一で、更に、複数の光源により組合されたランプチューブにおいて、新光源を交換した後、明度の不均一な状況は更に明らかになっている。
【考案の概要】
【考案が解決しようとする課題】
【０００６】
これに鑑みて、本考案の主な目的は、自動車外部の発光装飾部材に用いる発光構造を提供して、装飾部材が柔らかい装飾性光源を生じさせるようにすることにある。
【課題を解決するための手段】
【０００７】
上記目的を達成するため、本考案の自動車外部用発光装飾部材は、
装飾部材と、
該装飾部材に結合され、かつ該装飾部材の外部に露出されるスリット状透光ケースと、
該スリット状透光ケース内に埋設され、かつ可撓性を有する透光部材と、
該透光部材の一端に設けられ、生じる光源を該透光部材の一端に照射することで、該透光部材が発光され、かつ該スリット状透光ケースを通じてスリット状の装飾性光源を生じる発光モジュールと、を含む。
【０００８】
上述の構成により、本考案によれば、自動車車体の外側表面に設けられている発光装飾部材は、装飾部材に結合されるスリット状透光ケース、該スリット状透光ケース内に埋設され、かつ可撓性を有する透光部材、該透光部材の一端または両端に設けられている複数の発光モジュールから構成されており、該発光モジュールにより生じる光源を該透光部材に照射して、該透光部材を発光させ、かつ該スリット状透光ケースを通じてスリット状、かつ柔らかい装飾性光源を生じることができる。
【０００９】
前記装飾部材にはスリット状結合溝が設けられ、該スリット状透光ケースを取付けて結合させる。
前記スリット状透光ケースは該装飾部材に結合する延伸部を有する。
前記延伸部と該装飾部材は少なくとも１つの粘着シートを通じて粘着される。
【００１０】
前記スリット状の光ケースはその内部に該透光部材を嵌合させるスリット状嵌合溝を有する。
前記スリット状透光ケースの表面には光拡散経路が設けられている。
前記スリット状透光ケースには光反射シートが設けられている。
【００１１】
前記透光部材の両端にはそれぞれ発光モジュールが設けられ、生じる光源をそれぞれ該透光部材の一端に照射して、該透光部材を発光させることができる。
前記透光部材の端部にはスリーブが結合され、かつ該発光モジュールは該スリーブ内に設けられている。
前記発光モジュールは発光ダイオードまたは電球である。
【図面の簡単な説明】
【００１２】
【図１】図1は、本考案の自動車外部の発光装飾部材の正面図である。
【図２】図２は、図1の自動車外部の発光装飾部材の断面図及び自動車車体の外側表面に結合された使用状態を示す図である。
【考案を実施するための形態】
【００１３】
以下、本考案の自動車外部の発光装飾部材を更に詳細に説明するため、図面と実施例を用いて説明する。
【００１４】
図1と図2に示されたように、本考案の自動車外部の発光装飾部材において、自動車車体の外部に取付けられている装飾部材1と、該装飾部材1に結合され、かつ該装飾部材1の外部に露出されるスリット状透光ケース2と、該スリット状透光ケース2内に埋設され、かつ可撓性を有する透光部材3と、該透光部材3の一端または両端に設置されている１つまたは複数の発光モジュール４と、を含み、該発光モジュールは、生じる光源を前記透光部材3の端縁に照射して、該透光部材3を発光させ、かつ該スリット状透光ケース2を通じてスリット状または柔らかい装飾性光源を発光させることができる。
【００１５】
前記装飾部材1は車体の側辺装飾板、車体の側辺踏板装飾板、車体の前後側装飾板を含むが、これに限らない。該装飾部材1にはスリット状組合溝が設けられて、該スリット状透光ケース2を取付けて結合させる。
【００１６】
図2に示されたように、該スリット状透光ケース2は該装飾部材1に結合される延伸部21を有し、該延伸部21と該装飾部材1は少なくとも１つの粘着シート5を通じて更に堅固に粘着され、これにより、スリット状透光ケース2が装飾部材1に固定されることができる。スリット状透光ケース2と装飾部材1は粘着シート5を通じて相互に粘着して固定され、またはねじ締付方式によりスリット状透光ケース2を装飾部材1に固定することができる。
【００１７】
更に、該スリット状透光ケース2は該透光部材3を内部に嵌合させるスリット状嵌合溝22を有し、これにより、透光部材3がスリット状透光ケース2内に収容されることができる。透光部材3は可撓性を有するスリット状部材であるため、スリット状嵌合溝22の経路に合せて湾曲変化を行うことができる。
【００１８】
前記発光モジュール4は発光ダイオード（ＬＥＤ）または電球であり、該透光部材3の一端には発光モジュール4が設けられることができ、これにより、生じる光源を該透光部材3の一端に照射して該透光部材3を発光させることができ、かつ該スリット状透光ケース2を通じてスリット状、かつ柔らかい装飾性光源を生じることができる。
【００１９】
実際に使用する時、該透光部材3の両端にそれぞれ発光モジュール4を設けることができ、2つの発光モジュール4により生じる光源はそれぞれ該透光部材3の一端に照射されて、該透光部材3を発光させ、かつ該スリット状透光ケース2を通じてスリット状、かつ明度の更に高い柔らかい装飾性光源を生じることができる。
【００２０】
図1に示されたように、該透光部材3の端部にはスリーブ6が結合され、該発光モジュール4は該スリーブ6内に設置され、発光モジュール4は透光部材3の端縁に固定され、かつ該透光部材3に向かって光源を生じる。
発光モジュール4の必要な電力は電線41を通じて電源供給ユニットから供給され、該電源供給ユニットは蓄電池、太陽エネルギーパネルなどにすることが可能である。
【００２１】
上述により、本考案は自動車車体7の外側表面に取付けられている発光装飾部材に関し、装飾部材1に結合されているスリット状透光ケース2、スリット状透光ケース2内に埋設され、かつ可撓性を有する透光部材3、および該透光部材3の一端または両端に設置されている１つまたは複数の発光モジュール4から構成されており、発光モジュール4により生じる光源を該透光部材3に照射することで、該透光部材3を発光させ、該スリット状透光ケース2を通じてスリット状、かつ柔らかい装飾性光源を生じることができる。
【００２２】
該スリット状透光ケース2により生じる装飾性光源を更に柔らかくするため、該スリット状透光ケース2の表面に光拡散経路を更に設けることができ、更に、発光明度を向上させるため、該スリット状透光ケース2に光反射シート23を設けることができる。
【００２３】
上述は、本考案の好ましい実施例であって、本考案の保護範囲を制限するものではなく、本考案の実用新案登録請求の範囲及び明細書に記載された内容に基づいて行う簡単な等価変化及び修飾は、本考案の保護範囲内に属すべきである。
【符号の説明】
【００２４】
装飾部材  1
スリット状透光ケース  2
延伸部  21
スリット状嵌合溝  22
光反射シート  23
透光部材  3
発光モジュール  4
電線  41
粘着シート  5
スリーブ  6
自動車車体  7
【図１】
0003187067.tif 000003
【図２】
0003187067.tif 000004